(57)【要約】  本発明は貴金属からなる装飾具を製造する方法に関する。  本発明は、純貴金属-すなわち１０００分の９９９と同等またはそれ以上の純度を有する-の薄板、板または箔（１）を提供し、望む形状のプロファイル（３）をトレースし、前記望む形状の装飾具（５）を得るために前記プロファイルに従って前記薄板、板、または箔（１）を切断することを提供する。  本発明にかかる方法は、どのような二次元形状の貴金属からなる装飾具であっても、短時間かつ限られたコストで得ることを可能にする。より詳細には、本発明にかかる方法は、製造者の商用選択による純貴金属の装身具および／または装飾具の商用収集の多量な数を得ること、および特注の-すなわち、ユーザーの具体的なデザインから始める-純貴金属からなる装飾具を、即時ともいえる極めて短時間で得ることの双方を可能にする。  優れたことに、本発明にかかる方法は、ユーザーに、純貴金属からなる装飾具の価値の非常に強い保証とオリジナリティを提供し、他の金属との合金を一切使用しない。【選択図】図１ｂ
2017513639.tif 000002
【特許請求の範囲】
【請求項１】
貴金属からなる装飾具（５）を製造する方法であって、：
-純貴金属の薄板、板、または箔（１）を提供するステップと；
-望む形状のプロファイル（３）をトレースするステップと；
-前記装飾具（５）を得るため、前記薄板、板、または箔（１）を前記プロファイルに従って切断するステップと、を有する、方法。
【請求項２】
請求項１に記載の方法であって、前記薄板、板、または箔は１０００分の９９９と同等またはそれ以上の純度の貴金属からなることを特徴とする方法。
【請求項３】
請求項１または２に記載の方法であって、前記プロファイル（３）は適切な道具を用いて前記薄板、板、または箔（１）に直接トレースされることを特徴とする方法。
【請求項４】
請求項１または２に記載の方法であって、前記プロファイル（３）は、前記薄板、板、または箔（１）に適用することおよび重ねることが可能な別体のサポートにトレースされることを特徴とする方法。
【請求項５】
請求項１から４のいずれかに記載の方法であって、前記切断するステップは弓のこを用いて遂行されることを特徴とする方法。
【請求項６】
請求項１から５のいずれかに記載の方法であって、前記切断するステップの後にさらに、前記装飾具（５）の縁を仕上げ、滑らかにするステップを含むことを特徴とする方法。
【請求項７】
請求項１から６のいずれかに記載の方法であって、前記切断するステップの後にさらに、前記装飾具のグレージングステップを含むことを特徴とする方法。
【請求項８】
請求項１から７のいずれかに記載の方法であって、前記切断するステップの後にさらに、：
-前記装飾具（５）の表面処理を実行するステップ；
-前記装飾具（５）に貴石、半貴石または真珠をセッティングするステップ；
-前記装飾具に写真を彫刻することを含む前記装飾具（５）に彫刻するステップ；および
-前記装飾具（５）にエナメル加工するステップ、
の一つまたはそれ以上を含むことを特徴とする方法。
【請求項９】
請求項１から８のいずれかに記載の方法であって、前記切断するステップの後、前記装飾具（５）を保持体上に適用するステップを含むことを特徴とする方法。
【請求項１０】
請求項１から９のいずれかに記載の方法であって、前記純貴金属は、純銀、純金および純プラチナから構成されるグループから選択されることを特徴とする方法。
【請求項１１】
請求項１から１０のいずれかに記載の方法であって、前記純貴金属は純銀であり、前記薄板、板、または箔（１）は１．５から２．０ｍｍの厚みを有することを特徴とする方法。
【請求項１２】
請求項１から１０のいずれかに記載の方法であって、前記純貴金属は純金であり、前記薄板、板、または箔（１）は０．４０から０．６０ｍｍ、好ましくは０．４５から０．５０ｍｍの厚みを有することを特徴とする方法。
【請求項１３】
請求項１から１０のいずれかに記載の方法であって、前記純貴金属は純プラチナであり、前記薄板、板、または箔（１）は０．４０から０．６０ｍｍ、好ましくは０．４５から０．５５ｍｍの厚みを有することを特徴とする方法。
【請求項１４】
請求項１から１３のいずれかの方法を用いて製造された、純貴金属からなる装飾具。
【発明の詳細な説明】
【技術分野】
【０００１】
本発明は貴金属からなる装飾具を製造する方法と、その方法を用いて製造された装飾具に関する。
特に、本発明は銀、金またはプラチナからなる装飾具を製造する方法と、その方法を用いて製造された装飾具に関する。
【０００２】
より詳細には、本発明は純銀、純金または純プラチナ-すなわち、純度が１０００分の９９９と同等かそれ以上の-からなる装飾具を製造する方法と、その方法を用いて製造された装飾具に関する。
【背景技術】
【０００３】
金細工の分野においては、純貴金属-すなわち銀、金およびプラチナ-は、薄板（ｓｈｅｅｔｓ）、板（ｐｌａｔｅｓ）、または箔（ｆｏｉｌｓ）の形態で提供される。
不利なことに、純貴金属は過度に延性があり柔軟であるため、望んだ形状で装身具を製造することと、とりわけ装身具が身につけられた際に、曲がりや変形なく与えられた形状を保つことを保証することは極めて困難である。
【０００４】
先行技術によれば、この欠点は純金属の薄板、板または箔を溶融し、より容易に製造することができ高い硬度を有する最終製品を提供する合金を得るために、溶融した純金属を他の金属と混合することで克服することができる。
【０００５】
それゆえ基準は、装身具の合金中のグラムあたりの貴金属量を示す「純度」、１０００分率で表現される、となっている。
一例として、金細工の金は、金の純度が１０００分の７５０の合金として通常用いられる。特に、いわゆる「イエローゴールド」は現に、金を１０００分の７５０、銀を１０００分の７０−１２０、銅を１０００分の１３０−１８０含む合金で、いわゆる「ホワイトゴールド」は現に、金を１０００分の７５０、銀、ニッケルまたはパラジウムを１０００分の２５０含む合金で、そしていわゆる「レッドゴールド」は現に、金を１０００分の７５０、銀を１０００分の４５、銅を１０００分の２０５含む合金などである。
【０００６】
この従来手法は、貴金属の過度な延性と柔軟性による欠点を克服することができるが、貴金属からなる品目および装飾具を製造する前に合金を得る必要があることは、複数の制限を提示する。
【０００７】
第一に、加工できる合金を得るため、選択された貴金属を、一種またはそれ以上の種の金属と溶融するステップを実行する必要がある。
さらに、ユーザーは市場において、金細工師と貴金属商が収集（ｃｏｌｌｅｃｔｉｏｎ）のために選択した形状に対応する、限定された形状の品目、装身具および装飾具のみしか発見することができない。
【０００８】
取りうる他の手段である、装身具および装飾具を特注すること、すなわち個々のユーザーが必要な具体的なデザインから始めること、も欠点がないわけではない。
第一に、その製造過程の複雑さにより、特注の装身具および装飾具の生産は、同じ量の貴金属を含む装身具または装飾具に比べて、著しい費用の増加を必要とする。
【０００９】
第二に、やはりその製造過程の複雑さにより、ユーザーによってもたらされた特定のデザインから始める製造はすぐには可能とならず、むしろ逆に多大な待ち時間を必要とする。
【００１０】
さらに、上記のどのようなケースであっても、装身具および装飾具は純貴金属を用いては製造されず、貴金属に加えて一種またはそれ以上の種の卑金属（非貴金属）をも含む合金を常に用いて製造される。
【発明の概要】
【発明が解決しようとする課題】
【００１１】
本発明の目的は、貴金属からなる装飾具の製造方法を提供することで前述した従来技術の欠点を克服し、ユーザーが利用可能な形状の自由度を最も広くすることにある。
より詳細には、本発明の目的は、一方では金細工師に多数のさまざまな商用収集の装身具および装飾具を作成することを可能とし、他方ではある個別のユーザーが望みどおりの形状の装飾具を得ることを可能にする、純貴金属からなる装飾具の製造方法を提供することにある。
【００１２】
本発明の目的はまた、極めて短い時間で特注の装飾具の作成を可能にする、貴金属からなる装飾具の製造方法を提供することにある。
本発明の目的はまた、最終ユーザーが装飾具の製造過程に立ち会い、形状と、装飾具の次の製造過程自身に関する指示を伝えることを可能とすることにある。
【００１３】
本発明の目的はまた、貴金属からなる装飾具の低費用な製造方法を提供することにある。
本発明の目的はまた、純貴金属だけを使った装飾具の製造可能性を提供することにある。
【００１４】
これら及び他の目的は添付の請求項に記載された方法によって達成される。
発明の概要
本発明に係る方法は、他の金属との合金を作ることなく、貴金属の薄板、板、または箔から直接的に装飾具を得ることを提供する。
【００１５】
ここでは以下のことに注意すべきである：
-「装飾具」（ｏｒｎａｍｅｎｔ）はすべての装飾的な要素を意味する；ここで使われる「装飾具」という言葉には-非限定的な例示として-装身具（ｊｅｗｅｌｓ）（たとえばペンダント、チャーム、ブローチまたは挿入物など）、革製品の応用品（たとえばハンドバッグ、財布、ベルトおよび靴など）、アクセサリー全般（たとえばメガネやキーリングなど）、布製品、板（ｐｌａｔｅｓ）、小物（ｋｎｉｃｋ−ｋｎａｃｋｓ）その他のものの応用品を含み；
-「純貴金属」（ｐｕｒｅ  ｐｒｅｃｉｏｕｓ  ｍｅｔａｌ）は純度が１０００分の９９９と同等またはそれ以上の貴金属を意味し；
-「薄板」（ｓｈｅｅｔ）は一般的に厚みが表面積より十分に小さいもの（薄板、板、箔その他を含む）を指す。
【００１６】
本発明によれば、装飾具は純貴金属の薄板、板、または箔から、望まれる形状に直接切り出される。
貴金属の過度な延性と柔軟性により提示される問題を卑金属との合金を作成することで解決する従来技術と異なり、本発明はこれまで採用されていなかった異なった手法を用いる。
【００１７】
この手法は純貴金属の薄板、板、または箔から装身具を作成することを提供する。
他の金属との合金としてではなく、純貴金属を単独で用いることは、経時的な変形がなく形状を保つことができる、望む形状の装飾具を得る可能性と、その表面の特性の経時的な劣化がなく十分審美的な外見を保つことの可能性の双方に関する重要な技術上の問題を提示する。この理由から、この解決方法は金細工の技術分野における当業者にとって明らかなものではない。
【００１８】
変形がなく形状を保つことができる装飾具を得るため、本発明は適切に選択された厚さを持った純貴金属の薄板、板、または箔から装飾具を製造することを提供する。前記厚みは、得られた装飾具が過度な延性と柔軟性を持ち、ゆえに曲りのリスク下に置かれることを防止するのに十分厚いことが望ましい一方、他方では望む形状へ切断するためおよび快適な装着のために十分薄いことが望まれる。
【００１９】
装身具または他の装飾具の製造者の場合、望む形状もしくは薄板、板、または箔から切り出すべき形状は、具体的な形状によって特徴づけられる異なった商用収集（ｃｏｍｍｅｒｃｉａｌ  ｃｏｌｌｅｃｔｉｏｎｓ）のニーズに合致し、選択され、広い規模で実行されることができる。
【００２０】
個別のユーザーの場合、望む形状-やはり前記薄板、板、または箔から切り取られる-は、市場には存在しないこともある特有の形状を有する装身具または装飾具を特注するというニーズに合致する。
【００２１】
この解決方法によって、どのような二次元形状でも、短時間かつ極めて小さい製造コストで容易に得ることができる。
より詳細には、ある個別のユーザーの具体的な発注で、特注の装飾具を製造する場合、装飾具が切り出されている間にユーザーが指示を出すことによって、その装飾具は即時ともいえる極めて短い時間で得ることができる。
【００２２】
装身具または他の装飾具の製造者が広い規模で生産する場合であっても、本発明によって、装身具または装飾具を得るための製造時間は、従来の手法による装身具又は装身具の製造時間に対して劇的に減少する。
【００２３】
さらに製造者にとっては、望みの形状を望みの純貴金属の薄板、板、または箔から単純に切り出すことで、どのような形状の商用収集の純貴金属の装身具および／または装飾具であっても、生産の実行を選択することができるという利点を享受する。
【００２４】
優れたことに、本発明に関する手法によって得られた装飾具は純貴金属からなり、購入した装飾具の価値の非常に強い保証と、純貴金属の薄板、板、または箔から切り出された装飾具を有することによるオリジナリティの双方を提供し、他の金属との合金を一切使用しない。
【００２５】
本発明にかかる手法は-切断ステップののち-当業者が一般的に用いる範囲内の技術に従って、後続する１またはそれ以上の仕上げステップ（ｓｕｃｃｅｓｓｉｖｅ  ｆｉｎｉｓｈｉｎｇ  ｓｔｅｐｓ）を提供してもよい。
【００２６】
この仕上げステップは、非限定的な例示として、表面処理、彫刻、貴石、半貴石および／または真珠のセッティング、写真（ｐｈｏｔｏｇｒａｐｈｓ）の彫刻（いわゆる「写真入り装身具（ｐｉｃｔｕｒｅ  ｊｅｗｅｌｒｙ）」、エナメル加工その他を含んでよい。
【００２７】
好ましくは、本発明に係る手法は表面仕上げステップ、すなわちグレージング（ｇｌａｚｉｎｇ）ステップを提供する。このグレージングステップは、-その高い延性と柔軟性によって-ひっかきと擦過に特にさらされ、結果としてその審美的外観が劣化するという純貴金属の性質を考慮して提供されている：グレージングステップを提供することで、長い間十分審美的な外観を保つことを保証することが可能になる。
【００２８】
ここで、本発明にかかる手法は一般的に単純な切断ステップ-あるいはその後に続く表面仕上げステップ-のみを提供するので、使用される原材料の価格は高いながらも、製造コストを低く保つことが可能となることに留意すべきである。
【００２９】
このように得られた装飾具は、その最終目的およびユーザーの希望または製造者の商用的選択によって、たとえばペンダント、ブローチ、キーリング、小物その他として単独で用いることもでき、または何らかの材料である保持体へ適用されてもよい。
【００３０】
非限定的な例示として、得られた装飾具は、ブレスレット、ネックレス、イヤリング、指輪その他の補完物として用いてもよく、革製品に適用してもよく、布製品、織物その他の材料に広く適用してもよい。
【図面の簡単な説明】
【００３１】
【図１ａ】本発明にかかる方法の主なステップの概略図である。
【図１ｂ】本発明にかかる方法の主なステップの概略図である。
【図１ｃ】本発明にかかる方法の主なステップの概略図である。
【図２ａ】本発明にかかる方法を用いて製造された装飾具の応用例の概略図である。
【図２ｂ】本発明にかかる方法を用いて製造された装飾具の応用例の概略図である。
【図２ｃ】本発明にかかる方法を用いて製造された装飾具の応用例の概略図である。
【図２ｄ】本発明にかかる方法を用いて製造された装飾具の応用例の概略図である。
【発明を実施するための形態】
【００３２】
本発明のさらなる特性と利点は、添付図面とともに提供される、非限定的な例示である本発明にかかるいくつかの好適な実施例についての以下の記載によって明らかになる。
好適な実施例
図１ａ−１ｃをまず参照すると、本発明にかかる方法は、少なくとも以下のステップを含む：
-純貴金属の薄板、板、または箔１を提供する（図１ａ）；
-望む形状のプロファイル３をトレースする；
-前記望む形状の装飾具５を得るため、前記薄板、板、または箔１を前記プロファイル３に従って切断する。
【００３３】
薄板、板、または箔１は、周知である手法により得られ：
-るつぼの中で貴金属を溶融し、続いて鋳型に鋳造する；
-そのように得られた金属を圧延機で圧延する；圧延により、金属は「生」（ｇｒｅｅｎ）になる、よって、固くなり、延性と柔軟性は低くなる；
-圧延機を逆向きに通し、クロス圧延を行うことで、薄板、板、または箔に存在する凹凸を除去する。
【００３４】
非限定的な例示として、本発明にかかる方法で用いることができる貴金属として、銀、金およびプラチナがある。
前述のように、本発明の薄板または板１は１０００分の９９９と同等またはそれ以上の純度を有する貴金属からなる。
【００３５】
前述のように、本発明によれば、１０００分の９９９と同等またはそれ以上の純度の貴金属が有する延性と柔軟性にもかかわらず、装飾具に十分な剛性を有すると同時に、次の切断ステップを容易かつ複雑な道具なしに実行することを担保し、かつ着用可能な装飾具を得るよう、本発明の前記薄板または板の厚みは選択される。
【００３６】
この厚みは使用する金属によって異なった選び方となる。
銀の場合、厚みは１．５から２．０ｍｍ程度となる。金の場合、厚みは０．４から０．６ｍｍ程度となり、好ましくは０．４５から０．５０ｍｍ程度となる。プラチナの場合、厚みは０．４から０．６ｍｍ程度となり、好ましくは０．４５から０．５５ｍｍ程度となる。
【００３７】
プロファイル３をトレースするステップは、（たとえば、フェルトペンやスタイラスなどを用いて）薄板、板、または箔１の上に直接的に実行されてもよいし、前記薄板、板、または箔１に適用することおよび重ねることが可能な別体のサポート（たとえば、薄い紙のシートなど）上に実行されてもよい。
【００３８】
装飾具５を得るための薄板、板、または箔１の切断ステップは、当業者が利用可能な任意の公知技術により実行することができる。とりわけ、弓のこ（ｈａｃｋｓａｗ）を用いて人力で実行することも可能（金細工で知られた手法ではあるが、従来は貴金属細工以外の目的で使用されていた）だが、レーザー切断やその他の進歩した技術を排除するものではない。
【００３９】
上記の記載によれば、本発明にかかる方法によって、実質的に何の制限もなく望む形状の純貴金属の装飾具を得るという上述の目的を遂げることが明らかである。
より詳細には、本発明にかかる方法は特注の装飾具の製造にあたって多大な利点をもたらすことが明らかである。
【００４０】
ユーザーは彼／彼女自身のオリジナルのデザインである装身具の製造工程を、即時にそして彼／彼女の眼前で、待ち時間なしに目視することができる。
前述のように、本発明にかかる方法は後続する仕上げステップを含んでもよい。
【００４１】
より詳細には、装飾具５の縁（エッジ）を仕上げ、滑らかにするステップを含むことが可能である。
縁を仕上げ、滑らかにするこのステップは、３つの異なった目的を同時に達成することができる：
縁の構成の外観を向上することで装飾具の審美的な外観をさらに向上する目的、
ユーザーにひっかき傷やその他の不快な感覚を与える切断面を除去する目的、
衣服や他の装飾具に引っ掛かりダメージを与える鋭利な面を除去する目的。
【００４２】
縁を仕上げ、滑らかにするこのステップは二つの段階で実行できる：
ヤスリや同等の道具を用いて粗く進行する一段階目、
適切な番手の紙やすりを用いて精密に進行する二段階目。
【００４３】
グレージングステップを提供することが可能であり、そして好ましい。
グレージングステップは、表面を削り、非グレーズ（ｕｎｇｌａｚｅ）に影響を及ぼすひっかきと擦過の形成による審美的な劣化を防止することを助け、特に、純貴金属からなる装飾具の場合、それらの延性と柔軟性によって、ひっかき傷、筋や同等の痕跡が残る傾向にあるため、利点である。
【００４４】
グレージングステップは、適切な粗さを持つヘラ（ｓｐａｔｕｌａｓ）および／またはスポンジによって実行可能である。
さらに、望む形状の装飾具５を得た後、その装飾具に表面処理をし、および／またはさまざまな種類のセッティング、たとえば貴石、半貴石または真珠のセッティング、および／またはさまざまな種類の彫刻（写真の彫刻を含む）および／またはエナメル加工をしてもよい。
【００４５】
それゆえ、装飾具を本発明にかかる手法によって得ることの自由度は、より上昇する。
この技術分野における一般的な慣行によれば、得られた装飾具は打印、すなわち装飾具に、装飾具を製造した職人の印章と、用いた貴金属の純度を記すことができる。
【００４６】
合金からなる装身具とは異なり、本発明によって得られた装飾具の場合は、純貴金属の高い延性と柔軟性が原因で、打印ステップによって不体裁な構成を引き起こしうる。よって、本発明にかかる手法は、不体裁なマークを除去するため、打印ステップの後に連続してさらにグレージングステップを提供する。
【００４７】
図２ａ−２ｄでは、本発明にかかる方法を用いて製造された装飾具の応用例の概略図が示されている。
より詳細には：
-ペンダントのように、そのような装飾具の単独使用も想定可能であり（図２ａ）；
-ブレスレットのように、そのような装飾具の補完物としての使用も想定可能であり（図２ｂ）；
-かばんや同等の革製品への応用物として、そのような装飾具の使用も想定可能であり（図２ｃ）；
-ドレスや衣類への応用物として、そのような装飾具の使用も想定可能である（図２ｄ）。
【００４８】
一般的に、これらの用途の例示および説明としての記載は、いかなる意味でも限定的なものとして解されるべきではなく、添付する請求項において定義される保護の範囲から脱することなく、当業者においてさまざまな改善や変更が可能であることが明白である。
【００４９】
たとえば、図２ａ−２ｄに示される非限定的な例示に加え、本発明にかかる方法で得られた装飾具はどのような品目やアクセサリー（メガネ、キーリングその他）に組み込むことも可能であることが明白である。
【符号の説明】
【００５０】
１  薄板、板、または箔
３  プロファイル
５  装飾具
【図１ａ】
2017513639.tif 000003
【図１ｂ】
2017513639.tif 000004
【図１ｃ】
2017513639.tif 000005
【図２ａ】
2017513639.tif 000006
【図２ｂ】
2017513639.tif 000007
【図２ｃ】
2017513639.tif 000008
【図２ｄ】
2017513639.tif 000009
【国際調査報告】
2017513639.tif 000010